【手続補正書】
【提出日】平成28年9月29日(2016.9.29)
【手続補正１】
【補正対象書類名】特許請求の範囲
【補正対象項目名】全文
【補正方法】変更
【補正の内容】
【特許請求の範囲】
【請求項１】
開口した袋(10)に食パン(18)を押送して充填する袋詰め機であって、
袋積層部(12)から袋(10)を一枚ずつ取り出す袋取出し手段(14)と、
該袋取出し手段(14)で取り出した袋(10)を、充填位置(S4)の下側の充填待機位置(S3)まで保持して搬送する袋搬送手段(20)と、
前記充填待機位置(S3)において袋口部(10e)を拡張すると共に、該袋(10)を前記充填位置(S4)まで浮かせて開口保持する袋開口手段(22)と、
前記充填待機位置(S3)まで搬送される袋(10)に製品情報を印字する印字手段(16)とを備え、
前記食パン(18)の袋(10)への充填中に、次の袋(10)を前記袋搬送手段(20)によって前記充填待機位置(S3)まで搬送して保持するよう構成した
ことを特徴とする食パン袋詰め機。
【請求項２】
袋内に挿入した前記袋開口手段(22)との間で袋(10)の両側部を挟んで保持する押圧部材(88)を備えた袋保持手段(26)を設けたことを特徴とする請求項１記載の食パン袋詰め機。
【請求項３】
前記袋開口手段(22)により袋口部(10e)を拡張する際に、前記充填待機位置(S3)において前記袋口部(10e)から延出する延出部(10a)を保持する袋口部保持手段(24)と、
前記袋開口手段(22)で開口した袋(10)へ食パン(18)を充填する際に、前記袋(10)を前記充填位置(S4)で保持する袋保持手段(26)と、を備えたことを特徴とする請求項１記載の食パン袋詰め機。
【請求項４】
前記袋口部保持手段(24)は、前記延出部(10a)の開口幅方向中央とその両側に離間して前記延出部(10e)を保持する第１および第２袋口部保持手段(58,60)を備え、
前記第１および第２袋口部保持手段(58,60)で前記延出部(10a)を保持してエアーを吹付けることで袋口部(10e)を予備開口した後に、前記第２袋口部保持手段(60)の保持を解除して前記袋開口手段(22)で袋口部(10e)を拡張し、前記袋保持手段(26)で袋(10)を保持してから前記第１袋口部保持手段(58)の保持を解除するよう構成したことを特徴とする請求項３記載の食パン袋詰め機。
【請求項５】
前記袋保持手段(26)は、前記袋開口手段(22)で拡張開口した袋口部(10e)を保持し、押送して充填される食パン(18)が袋(10)の底部に到達する時期に合わせて保持を解除するように動作するようにしたことを特徴とする請求項２〜４の何れか一項に記載の食パン袋詰め機。
【請求項６】
前記袋搬送手段(20)は、食パン(18)を押送して充填する方向と交差する方向に搬送路が延在し、袋(10)を一枚ずつベルト面に吸着して搬送する吸着ベルト(46)で構成した吸着コンベヤであって、該吸着コンベヤ(46)の下流端部を前記充填待機位置(S3)としたことを特徴とする請求項１〜５の何れか一項に記載の食パン袋詰め機。
【手続補正２】
【補正対象書類名】明細書
【補正対象項目名】０００４
【補正方法】変更
【補正の内容】
【０００４】
本発明は、前述した従来技術に係る食パン袋詰め機に内在している前記課題に鑑み、これを好適に解決するべく提案されたものであって、袋に良好な印字が行える新規な食パン袋詰め機を提供することを目的とする。
【手続補正３】
【補正対象書類名】明細書
【補正対象項目名】０００５
【補正方法】変更
【補正の内容】
【０００５】
前記課題を克服し、所期の目的を達成するため、請求項１の発明に係る食パン袋詰め機は、
開口した袋に食パンを押送して充填する袋詰め機であって、
袋積層部から袋を一枚ずつ取り出す袋取出し手段と、
該袋取出し手段で取り出した袋を、充填位置の下側の充填待機位置まで保持して搬送する袋搬送手段と、
前記充填待機位置において袋口部を拡張すると共に、該袋を前記充填位置まで浮かせて開口保持する袋開口手段と、
前記充填待機位置まで搬送される袋に製品情報を印字する印字手段とを備え、
前記食パンの袋への充填中に、次の袋を前記袋搬送手段によって前記充填待機位置まで搬送して保持するよう構成したことを特徴とする。
請求項１に係る発明によれば、食パンを充填する前の袋に印字することで、袋の印字面が平坦で安定した状態での印字が可能となり、良好な印字が得られる。また、次の印字済の袋を充填位置の直下に搬送し、充填位置へ持ち上げて袋を開口保持するので、拡張開口した袋に食パンを押送して良好に充填することができる。
【手続補正４】
【補正対象書類名】明細書
【補正対象項目名】０００６
【補正方法】変更
【補正の内容】
【０００６】
請求項２に係る発明では、袋内に挿入した前記袋開口手段との間で袋の両側部を挟んで保持する押圧部材を備えた袋保持手段を設けたことを特徴とする。
請求項２に係る発明によれば、袋口部が開口された袋の両側部を保持するようにしたので、食パンが充填中の袋を保持しつつ充填待機位置へ次の袋を搬送することができ、袋詰め処理を高速でなし得る。
【手続補正５】
【補正対象書類名】明細書
【補正対象項目名】０００７
【補正方法】変更
【補正の内容】
【０００７】
請求項３に係る発明では、前記袋開口手段により袋口部を拡張する際に、前記充填待機位置において前記袋口部から延出する延出部を保持する袋口部保持手段と、
前記袋開口手段で開口した袋へ食パンを充填する際に、前記袋を前記充填位置で保持する袋保持手段と、を備えたことを特徴とする。
請求項３に係る発明によれば、袋が位置ずれすることなく袋開口手段で袋口部を良好に拡張し得ると共に、食パンの充填に際して袋が移動するのを防止することができる。
【手続補正６】
【補正対象書類名】明細書
【補正対象項目名】０００８
【補正方法】変更
【補正の内容】
【０００８】
請求項４に係る発明では、前記袋口部保持手段は、前記延出部の開口幅方向中央とその両側に離間して前記延出部を保持する第１および第２袋口部保持手段を備え、
前記第１および第２袋口部保持手段で前記延出部を保持してエアーを吹付けることで袋口部を予備開口した後に、前記第２袋口部保持手段の保持を解除して前記袋開口手段で袋口部を拡張し、前記袋保持手段で袋を保持してから前記第１袋口部保持手段の保持を解除するよう構成したことを特徴とする。
請求項４に係る発明によれば、第１袋口部保持手段で延出部を保持したもとで、該第１袋口部保持手段の両側の第２袋口部保持手段による延出部の保持を解除してから袋開口手段で袋口部を拡張するようにしたので、袋を位置ずれさせることなく袋口部の良好な開口を図ることができる。
【手続補正７】
【補正対象書類名】明細書
【補正対象項目名】０００９
【補正方法】変更
【補正の内容】
【０００９】
請求項５に係る発明では、前記袋保持手段は、前記袋開口手段で拡張開口した袋口部を保持し、押送して充填される食パンが袋の底部に到達する時期に合わせて保持を解除するように動作するようにしたことを特徴とする。
請求項５に係る発明によれば、食パンが袋底まで送り込まれるまで袋を保持しているので、食パンの充填に際して袋が移動するのを防止して良好に袋詰めを行うことができる。
【手続補正８】
【補正対象書類名】明細書
【補正対象項目名】００１０
【補正方法】変更
【補正の内容】
【００１０】
請求項６に係る発明では、前記袋搬送手段は、食パンを押送して充填する方向と交差する方向に搬送路が延在し、袋を一枚ずつベルト面に吸着して搬送する吸着ベルトで構成した吸着コンベヤであって、該吸着コンベヤの下流端部を前記充填待機位置としたことを特徴とする。
請求項６に係る発明によれば、袋を充填待機位置まで吸着保持して位置ずれなく搬送することができ、袋を充填待機位置に精度よく搬送することができる。
【手続補正９】
【補正対象書類名】明細書
【補正対象項目名】００４７
【補正方法】変更
【補正の内容】
【００４７】
１０ 袋，１０ａ 位置決め延出部(延出部)，１０ｅ 袋口部，１２ 袋積層部
１４ 袋取出し手段，１６ 印字手段，１８ 食パン，２０ 袋搬送手段
２２ 袋開口手段，２４ 袋口部保持手段，２６ 袋保持手段
４６ 吸着ベルト(吸着コンベヤ)，５８ 第１袋口部保持手段
６０ 第２袋口部保持手段，８８ 押圧部材，Ｓ３ 充填待機位置，Ｓ４ 充填位置